(57)【要約】【課題】案内手段により案内される遊技球の流下が不規則になり易い遊技機を提供する。【解決手段】パチンコ機は、案内手段７０を備える。案内手段７０は、第一案内部２０１と第二案内部２０２を備える。第一案内部２０１は、遊技球の流下方向の上流側である右側から、流下方向の下流側である左側へと下側に延びる。第二案内部２０２は、第一案内部２０１と隣り合う。第二案内部２０２は、右側から左側へと上側に傾くと共に、左前方向側から右後方向側へと下側に傾く。第二案内部２０２が傾いていることによって、第二案内部２０２上を転動する遊技球の勢いの弱まり方は、不規則になり易い。【選択図】図５
2019024731.tif 000002
【特許請求の範囲】
【請求項１】
遊技領域を流下する遊技球を下側に案内する案内手段を備える遊技機であって、
前記案内手段は、
前記遊技球の流下方向の上流側から下流側へと下側に延びる第一案内部と、
前記第一案内部と隣り合い、前記第一案内部における前記遊技球の流下方向の上流側から下流側へと上側に傾くと共に、前記第一案内部における前記遊技球の流下方向と、上下方向とに交差する一方向側から他方向側へと下側に傾いた第二案内部と
を備えることを特徴とする遊技機。
【請求項２】
前記案内手段は、
前記遊技球の流下方向の上流側から下流側へと下側に延び、前記第二案内部によって案内された前記遊技球を下側に案内する第三案内部を備え、
前記第三案内部の勾配は、前記第一案内部の勾配とは異なることを特徴とする請求項１に記載の遊技機。
【請求項３】
前記案内手段は、
前記第二案内部よりも下側に設けられ、前記遊技球の流下方向の上流側から下流側へと下側に延びる第一延設案内部と、
前記第一延設案内部よりも下側に設けられ、流下方向の上流側から下流側へと下側に延びる第二延設案内部と
を備え、
前記第一延設案内部により案内される前記遊技球の向きと、第二延設案内部により案内される前記遊技球の向きは、互いに逆であり、
前記第一延設案内部の勾配と前記第二延設案内部の勾配は、互いに異なることを特徴とする請求項１又は２に記載の遊技機。
【請求項４】
前記第一延設案内部の少なくとも一部は、前記第二延設案内部に対して、前記第一案内部における前記遊技球の流下方向と、上下方向とに直交する所定方向においてずれることを特徴とする請求項３に記載の遊技機。
【請求項５】
前記案内手段は、
前記第一延設案内部により案内された前記遊技球を前記第二延設案内部へ案内する特定案内部を備え、
前記特定案内部は、
前記遊技球の流下方向の上流側から下流側へ下側へと延びる第一特定案内部と、
前記遊技球の流下方向の上流側から下流側へ下側へと延び、前記特定案内部における前記遊技球の流下方向に前記第一特定案内部と並ぶ第二特定案内部と
を備え、
前記第一特定案内部の勾配と前記第二特定案内部の勾配は、互いに異なることを特徴とする請求項３又は４に記載の遊技機。
【請求項６】
前記案内手段は、前記第二延設案内部よりも下側に設けられ、流下方向の上流側から下流側へと下側に延びる第三延設案内部を備え、
前記第三延設案内部の勾配は、前記第一延設案内部の勾配と前記第二延設案内部の勾配のいずれの勾配とも異なることを特徴とする請求項３から５のいずれかに記載の遊技機。
【発明の詳細な説明】
【技術分野】
【０００１】
本発明は遊技機に関する。
【背景技術】
【０００２】
従来、遊技領域を流下する遊技球を下側に案内する案内手段を備えた遊技機が知られている。例えば、特許文献１に開示の遊技機は、案内手段の一例として、転動路と上壁を含む。遊技球は、転動路と上壁を経由して左側に向けて流下する。
【先行技術文献】
【特許文献】
【０００３】
【特許文献１】特開２０１５−１８６６７９号公報
【発明の概要】
【発明が解決しようとする課題】
【０００４】
しかしながら上記遊技機では、遊技球は、転動路と上壁での流下の仕方が一定になり易い。従って、転動路と上壁により案内される遊技球が規則正しく流下する結果、遊技球の流下が遊技者にとって単調になる可能性がある。
【０００５】
本発明の目的は、案内手段により案内される遊技球の流下が不規則になり易い遊技機を提供することである。
【課題を解決するための手段】
【０００６】
本発明の遊技機は、遊技領域を流下する遊技球を下側に案内する案内手段を備える遊技機であって、前記案内手段は、前記遊技球の流下方向の上流側から下流側へと下側に延びる第一案内部と、前記第一案内部と隣り合い、前記第一案内部における前記遊技球の流下方向の上流側から下流側へと上側に傾くと共に、前記第一案内部における前記遊技球の流下方向と、上下方向とに交差する一方向側から他方向側へと下側に傾いた第二案内部とを備えることを特徴とする。
【０００７】
上記構成によれば、第一案内部により案内された遊技球を第二案内部が案内する場合に、遊技球の流下方向は他方向側且つ下側に切り替わる。このとき、遊技球の勢いは弱まる。第二案内部は、第一案内部における遊技球の流下方向の上流側から下流側へと上側に傾くと共に、一方向側から他方向側へと下側に傾く。従って、第二案内部での遊技球の勢いの弱まり方が不規則になり易い。よって、案内手段により案内される遊技球の流下が不規則になり易い遊技機が実現できる。
【０００８】
前記遊技機において、前記案内手段は、前記遊技球の流下方向の上流側から下流側へと下側に延び、前記第二案内部によって案内された前記遊技球を下側に案内する第三案内部を備え、前記第三案内部の勾配は、前記第一案内部の勾配とは異なってもよい。この場合、第一案内部を流下する遊技球の速さと、第三案内部を流下する遊技球の速さが互いに異なり易くなる。故に、案内手段により案内される遊技球の流下が更に不規則になり易い。
【０００９】
前記遊技機において、前記案内手段は、前記第二案内部よりも下側に設けられ、前記遊技球の流下方向の上流側から下流側へと下側に延びる第一延設案内部と、前記第一延設案内部よりも下側に設けられ、流下方向の上流側から下流側へと下側に延びる第二延設案内部とを備え、前記第一延設案内部により案内される前記遊技球の向きと、第二延設案内部により案内される前記遊技球の向きは、互いに逆であり、前記第一延設案内部の勾配と前記第二延設案内部の勾配は、互いに異なってもよい。この場合、第一延設案内部における遊技球の向きと、第二延設案内部における遊技球の向きが互いに逆であるので、案内手段を流下する遊技球の流下時間は増大する。また、第一延設案内部を流下する遊技球の速さと、第二延設案内部を流下する遊技球の速さは、互いに異なり易くなる。よって、案内手段により案内される遊技球の流下が更に不規則になり易い。
【００１０】
前記遊技機において、前記第一延設案内部の少なくとも一部は、前記第二延設案内部に対して、前記第一案内部における前記遊技球の流下方向と、上下方向とに直交する所定方向においてずれていてもよい。この場合、第一延設案内部を流下する遊技球の位置と、第二延設案内部を流下する遊技球の位置は、所定方向にずれ易くなる。よって、案内手段により案内される遊技球の流下時間が増大するので、案内手段により案内される遊技球の流下は更に不規則になり易い。
【００１１】
前記遊技機において、前記案内手段は、前記第一延設案内部により案内された前記遊技球を前記第二延設案内部へ案内する特定案内部を備え、前記特定案内部は、前記遊技球の流下方向の上流側から下流側へ下側へと延びる第一特定案内部と、前記遊技球の流下方向の上流側から下流側へ下側へと延び、前記特定案内部における前記遊技球の流下方向に前記第一特定案内部と並ぶ第二特定案内部とを備え、前記第一特定案内部の勾配と前記第二特定案内部の勾配は、互いに異なってもよい。この場合、第一特定案内部を流下する遊技球の速さと、第二特定案内部を流下する遊技球の速さは異なり易くなる。よって、案内手段により案内される遊技球の流下が更に不規則になり易い。
【００１２】
前記遊技機において、前記案内手段は、前記第二延設案内部よりも下側に設けられ、流下方向の上流側から下流側へと下側に延びる第三延設案内部を備え、前記第三延設案内部の勾配は、前記第一延設案内部の勾配と前記第二延設案内部の勾配のいずれの勾配とも異なってもよい。この場合、第三延設案内部を流下する遊技球の速さは、第一延設案内部を流下する遊技球の速さと、第二延設案内部を流下する遊技球の速さとのいずれに対しても異なり易い。よって、案内手段により案内される遊技球の流下が更に不規則になり易い。
【図面の簡単な説明】
【００１３】
【図１】パチンコ機１の正面図である。
【図２】遊技盤２の正面図である。
【図３】枠体６０の正面図である。
【図４】上前壁部７２と下前壁部７３を省略した案内手段７０の斜視図である。
【図５】下案内装置２００の分解斜視図である。
【図６】下前壁部７３の斜視図である。
【図７】下案内装置２００での遊技球Ｐの流れを示す正面図である。
【図８】図３のＡ−Ａ線矢視方向における下案内装置２００の断面図である。
【図９】図３のＢ−Ｂ線矢視方向における下案内装置２００の断面図である。
【発明を実施するための形態】
【００１４】
以下、本発明に係る遊技機の一実施の形態であるパチンコ機１について、図面を参照して説明する。
【００１５】
図１および図２を参照して、パチンコ機１の機械的構成について説明する。図１に示すように、パチンコ機１の上半分の部分には遊技盤２が設けられている。遊技盤２は略正方形であり（図２参照）、透明なガラス板を保持したガラス枠１３によって前面を保護されている。遊技盤２の下方部には、発射機に遊技球Ｐ（図４参照）を供給し、且つ賞球を受ける上皿５が設けられている。上皿５の直下には、賞球を受ける下皿６が設けられている。下皿６の右横には、遊技球Ｐの発射を調整する発射ハンドル７が設けられている。ガラス枠１３の上部の左右の角にはスピーカ４８がそれぞれ設けられている。
【００１６】
図２に示すように、遊技盤２の前面には、ガイドレール３で囲まれた略円形の遊技領域４が形成されている。遊技領域４には、枠体６０が取り付けられている。枠体６０の上部は、円弧状に湾曲した形成されたガイドレール２０である。枠体６０はＬＣＤである表示装置２８を正面視において囲む。表示装置２８は、各種の情報を遊技者に向けて表示する表示面２８Ａを備える。表示面２８Ａでは、大当たり判定の結果を遊技者に報知するための報知演出、大当たり遊技中の演出等、様々な演出の映像が表示される。特に、報知演出では複数のデモ図柄の変動および停止が行われ、同一のデモ図柄が所定ライン上に確定表示されることで、大当たり判定の結果が当たりであることが遊技者に報知される。大当たりの判定が報知されることに伴って、遊技者が発射ハンドル７を操作して遊技球Ｐを遊技領域４の右側に向けて打ち込むと、ガイドレール２０は打ち込まれた遊技球Ｐを下側から受けて、流下方向の下流側である右下側へ案内する。
【００１７】
ガイドレール２０の下流側（右下側）には、案内手段７０が設けられる。案内手段７０は、ガイドレール２０によって案内された遊技球Ｐを下側に案内する。案内手段７０の詳細な構成は後述する。案内手段７０の下方には、普通図柄始動ゲート１２が設けられる。案内手段７０によって案内された遊技球Ｐが普通図柄始動ゲート１２を通過すると、普通当たり判定が行われる。普通図柄始動ゲート１２の下方には、略箱状に形成されたアタッカー装置５０が設けられている。アタッカー装置５０は、案内流路、複数の大入賞口、遊技球Ｐを左方に向けて放出する放出口等を備える。複数の大入賞口は、大当たりの判定に伴って、所定のタイミングで開放される。このとき、案内手段７０によって案内された遊技球Ｐは大入賞口に入賞可能となる。
【００１８】
表示装置２８の下方には、上方から順に、第一特別図柄始動電動役物１４、第二特別図柄始動電動役物１６、及びアウト口１９が設けられている。第一特別図柄始動電動役物１４に遊技球Ｐが入賞することを契機として、第一特別図柄の大当たり判定が行われる。第二特別図柄始動電動役物１６は、普通当たり判定によって当たりと判定された場合に、入賞可能となる。第二特別図柄始動電動役物１６に遊技球Ｐが入賞することを契機として、第二特別図柄の大当たり判定が行われる。アウト口１９は、遊技領域４の下端まで流下した遊技球Ｐを回収し、遊技盤２の後側へ排出する。
【００１９】
図示しないが、パチンコ機１の背面側には制御部（図示略）が設けられている。制御部は、主基板、中継基板、サブ制御基板、及び払出制御基板等を備える。各基板は、ＣＰＵ、ＲＡＭ、ＲＯＭ等を備えており、パチンコ機１の各種動作を制御する。例えば、主基板は、普通当たり判定、大当たり判定等を行い、パチンコ機１の主制御を司る。主基板は、第一特別図柄始動電動役物１４、第二特別図柄始動電動役物１６等に接続されている。中継基板は、主基板で行われた各種判定の結果等に基づいて、アタッカー装置５０を駆動する。サブ制御基板は、主基板で行われた各種判定の結果等に基づいて、各種演出動作を実行する。サブ制御基板は、表示装置２８の表示制御を行う演出制御基板等に接続されている。払出制御基板は、パチンコ機１に設けられた賞球払出装置（図示略）を、主制御基板４１から送信されるコマンドに応じて駆動し、賞球としての遊技球Ｐを上皿５に払い出させる。
【００２０】
案内手段７０の構成を説明する。図３、図４に示すように、案内手段７０は、枠体６０の右部を構成する樹脂製の略箱状である。案内手段７０は、後壁部７１、上前壁部７２、及び下前壁部７３によって構成される。上前壁部７２は後壁部７１の上部を前側から覆い、下前壁部７３は後壁部７１の下部を前側から覆う。以下、案内手段７０の上部を「上案内装置１００」といい、案内手段７０の下部を「下案内装置２００」という。
【００２１】
図４に示すように、上案内装置１００は、上流側（上側）から順に、第一案内部１３１、第二案内部１３２、第三案内部１３３、及び第四案内部１４０を備える。これら四つの案内部は、いずれも、左右方向及び上下方向に対して交差する方向に延びており、流下する遊技球Ｐに下側から接触し、遊技球Ｐの向きを変えさせながら下側に案内する。これら四つの案内部のうちで第四案内部１４０の勾配が最も小さく、遊技球Ｐの中心部に対して面接触し、遊技球Ｐの勢いを効率良く低減する。尚、本明細書では、「勾配」は、水平方向に対する勾配を示し、「遊技球Ｐの中心部」は、遊技球Ｐの流下方向における端部を指し示す。
【００２２】
上案内装置１００は、さらに複数の突起部１１１を備える。突起部１１１は、後壁部７１から前方に突出するリブであり、直線状に延びる。複数の突起部１１１は、第一案内部１３１から第四案内部１４０の下流側に至る流路に間隔を空けて設けられる。複数の突起部１１１は、遊技球Ｐの中心部からずれた部位に対して下側から接触し、流下する遊技球Ｐの勢いを低減する。上案内装置１００によって案内される遊技球Ｐは、第一案内部１３１から第四案内部１４０の下流側まで流下する過程で、複数の突起部１１１に接触する。
【００２３】
図３〜図６を参照し、下案内装置２００の構成を説明する。下案内装置２００は、上案内装置１００によって案内された遊技球Ｐを下側に案内する。下案内装置２００は、遊技球Ｐを左右方向に案内する流路と、遊技球Ｐを前後方向に案内する流路とによって構成されている。従って、下案内装置２００で案内される遊技球Ｐは、左右方向における直線移動と前後方向における直線移動を繰り返しながら、下側に流下する。以下、下案内装置２００の構成を遊技球Ｐの流下方向の上流側から順に説明する。
【００２４】
図５に示すように、下案内装置２００は第一案内部２０１を備える。第一案内部２０１は、上案内装置１００の最も下側にある突起部１１１の下方に設けられており、後壁部７１から下前壁部７３に向けて突出する。第一案内部２０１は、落下する遊技球Ｐの中心部に対して下側から面接触可能な平板状であり、遊技球Ｐを右側から左側に案内する。第一案内部２０１は、遊技球Ｐの流下方向の上流側（右側）から下流側（左側）へと下側に延びる。第一案内部２０１の勾配は、上案内装置１００の第四案内部１４０（図４参照）の勾配よりも緩やかである。第一案内部２０１の左端部２０１Ａは、丸みを帯びた面取り形状であり、案内される遊技球Ｐは左端部２０１Ａで引っ掛かりにくい構成となっている。
【００２５】
左端部２０１Ａの左側には、第二案内部２０２と上ガイド部２１９が設けられる。第二案内部２０２と上ガイド部２１９はいずれも、下前壁部７３と一体的に形成されている。第二案内部２０２は、下前壁部７３から後壁部７１に向けて突出する突出部の上面を形成する。第二案内部２０２は、第一案内部２０１の左端部２０１Ａに対して僅かな隙間を空けて隣り合っており（図３参照）、第一案内部２０１によって案内された遊技球Ｐを下側から受けて案内できる。第二案内部２０２は、右側から左側へと上側に傾く（図６参照）。また、第二案内部２０２は、左斜め前方向（図６の矢印Ｒ方向）側から、右斜め後方向（図６の矢印Ｑ方向）側へと下側に傾く。上ガイド部２１９は、第二案内部２０２の上側に設けられており、下前壁部７３から前方に突出するリブの右面を形成する。上ガイド部２１９は、右斜め前方から左斜め後方に向けて延びる平面である。上ガイド部２１９と第二案内部２０２の上下方向距離は、遊技球Ｐの直径よりも短い。第二案内部２０２上を流下する遊技球Ｐは、上ガイド部２１９と接触して、第二案内部２０２の後方に形成された開口部２９９（図４参照）に向かう。
【００２６】
図４に示すように、開口部２９９の下方には、第三案内部２０３が設けられる。第三案内部２０３は、後壁部７１と一体的に形成されており、第二案内部２０２よりも後側にある。第三案内部２０３は、遊技球Ｐの流下方向の上流側（左斜め上側）から、流下方向の下流側（右斜め下側）に向けて湾曲して延びる。第三案内部２０３の勾配は、第一案内部２０１の勾配よりも急である。
【００２７】
第三案内部２０３の右側には、当接部２５５と後ガイド部２２９が設けられる。当接部２５５と後ガイド部２２９はいずれも、後壁部７１と一体的に形成される。当接部２５５は、後ガイド部２２９から突出する突出部材の左面を形成する。後ガイド部２２９は、第三案内部２０３と当接部２５５との間に位置する。後ガイド部２２９は、後壁部７１から前方に突出するリブの上面であり、後上方から前下方に延びる平面である。後ガイド部２２９は、遊技球Ｐを前下方に向けて案内する。
【００２８】
後ガイド部２２９の前方には、第一延設案内部２０４と前ガイド部２８７（図６参照）が設けられる。第一延設案内部２０４は、第三案内部２０３よりも下側に位置する。第一延設案内部２０４は、後壁部７１と一体的に形成された板状であり、右側から左側へ下側に傾斜する。前ガイド部２８７（図６参照）は、下前壁部７３と一体的に形成されており、第一延設案内部２０４に対して上方に隙間を空けた位置にある。前ガイド部２８７と第一延設案内部２０４の上下方向距離は、遊技球Ｐの直径よりも短い。前ガイド部２８７は、下前壁部７３から後壁部７１に向けて突出するリブの左面を形成する平面であり、左前方から右後方に延びる平面である。遊技球Ｐは、第一延設案内部２０４と前ガイド部２８７によって、左下方に向けて案内される。
【００２９】
図３、図６に示すように、第一延設案内部２０４の左側には、特定案内部２１０が設けられる。特定案内部２１０は、第一延設案内部２０４上を流下した遊技球Ｐを後下方に向けて案内可能である。特定案内部２１０は、第一特定案内部２１１、第二特定案内部２１２、第三特定案内部２１３、及び第四特定案内部２１４を備える。第一特定案内部２１１、第二特定案内部２１２、及び第三特定案内部２１３は、下前壁部７３から後壁部７１に向けて突出する突出部の外表面を形成する平面である（図６参照）。一方、第四特定案内部２１４は、後壁部７１と一体的に形成される（図４参照）。
【００３０】
第一特定案内部２１１は、前上方から後下方へ延びる。第一特定案内部２１１の上端部は、第一延設案内部２０４の左端部よりも上側となる高さ位置にあり、第一特定案内部２１１の下端部は、第一延設案内部２０４よりも下側となる高さ位置にある。第二特定案内部２１２は、前上方から後下方に延びる平面であり、第一特定案内部２１１の下方にある。第二特定案内部２１２の勾配は、第一特定案内部２１１勾配よりも緩やかである。第二特定案内部２１２の後部は、第二特定案内部２１２と前後方向に並ぶ。第三特定案内部２１３は、第二特定案内部２１２の右端部から右斜め上方に延びる壁部である。第四特定案内部２１４は、第一特定案内部２１１の左側に設けられた壁部であり、右上方から左下方に向けて傾斜して延びる。尚、第四特定案内部２１４は、上下方向と平行に延びていてもよいし、左上方から右下方へ傾斜して延びていてもよい。
【００３１】
図３、図４に示すように、特定案内部２１０の後側には、左下案内部２８８と左下ガイド部２４５が設けられる。左下案内部２８８と左下ガイド部２４５は、後壁部７１と一体的に形成される。左下案内部２８８は、左上方から右下方に向けて湾曲して延びる。左下案内部２８８の上端部は、第一特定案内部２１１の上端部と略同じ高さ位置にあり、左下案内部２８８の下端部は、第二特定案内部２１２よりも下側となる高さ位置にある。左下ガイド部２４５は、後壁部７１から前方に突出するリブの下面を形成する平面であり、前斜め上方から後斜め下方に向けて延びる。左下ガイド部２４５は、左下案内部２８８の真上に位置する。特定案内部２１０によって後方に案内された遊技球Ｐは、左下案内部２８８と左下ガイド部２４５によって右下側に向けて案内される。
【００３２】
左下案内部２８８の右側には、第二延設案内部２０５と下ガイド部２２７が設けられる。第二延設案内部２０５と下ガイド部２２７は、後壁部７１と一体的に形成される。第二延設案内部２０５は、左上方から右下方に延びると共に、後上方から前下方に向けて傾く平面である。第二延設案内部２０５は、第一延設案内部２０４の後下側にあり、第一延設案内部２０４に対して前後方向にずれた位置にある。第二延設案内部２０５の左端部は、左下案内部２８８の右端部よりも下方にある。下ガイド部２２７は、第二延設案内部２０５の右端部に対して上方に隙間を空けた位置にある。下ガイド部２２７と第二延設案内部２０５との上下方向距離は、遊技球Ｐの直径よりも短い。下ガイド部２２７は、後壁部７１から前方に突出するリブの左面を形成する平面であり、左後方から右前方に向けて延びる。遊技球Ｐは、第二延設案内部２０５によって右下方に案内された後、第二延設案内部２０５と下ガイド部２２７とによって前方に案内される。
【００３３】
第二延設案内部２０５の前下方には、第三延設案内部２０６が設けられる。第三延設案内部２０６は後壁部７１と一体的に形成される。第三延設案内部２０６は、右上方から左下方に向けて延びる平面である。第三延設案内部２０６の勾配は、第一延設案内部２０４と第二延設案内部２０５のそれぞれの勾配とは異なる。本実施形態では、第三延設案内部２０６の勾配は、第一延設案内部２０４の勾配よりも急であると共に、第二延設案内部２０５の勾配よりも緩やかである。第二延設案内部２０５の左下方には、排出口２５０が設けられる。排出口２５０は、普通図柄始動ゲート１２（図２参照）の上方にあり、略下側に向けて開口する。
【００３４】
図７〜図９を参照し、遊技球Ｐが下案内装置２００によって案内される流れを説明する。下案内装置２００は、上案内装置１００（図４参照）を経由して下方に落下する遊技球Ｐを下側に案内する。
【００３５】
図７、図８に示すように、第一案内部２０１は、落下する遊技球Ｐの中心部に対して下側から接触して一旦停止させた後、遊技球Ｐを左下側に向けて案内する。第一案内部２０１は、落下する遊技球Ｐの中心部に接触するので、遊技球Ｐは一旦停止し易い。遊技球Ｐは、第一案内部２０１に沿って増速しながら左下側に転動して（矢印Ａ１）、第二案内部２０２に到達する。第二案内部２０２は上述のように傾斜しているので、左側へ向かう遊技球Ｐは減速し、さらに上ガイド部２１９に接触して一旦停止する。その後、遊技球Ｐは、第二案内部２０２に沿って右斜め後方に流下する（矢印Ａ２）。遊技球Ｐは、開口部２９９（図４参照）の内側を落下により通過し、第三案内部２０３に落ちて右下側に案内される（矢印Ａ３）。このとき、遊技球Ｐは増速する。
【００３６】
図７、図９に示すように、遊技球Ｐは、当接部２５５に接触して一旦停止した後、後ガイド部２２９によって前方に案内される（矢印Ｂ１）。遊技球Ｐは下前壁部７３に後方から接触して減速した後、第一延設案内部２０４上を増速しながら左下側へ流下する（矢印Ｂ２）。遊技球Ｐは、第四特定案内部２１４に接触して一旦左方への移動を停止し、さらに、第一特定案内部２１１と第二特定案内部２１２によって後方に案内される（矢印Ｂ３）。遊技球Ｐは、左下ガイド部２４５に接触して後方への移動を停止し、左下案内部２８８まで自由落下して、さらに右下側に案内される。このとき、遊技球Ｐは増速する。遊技球Ｐは、第二延設案内部２０５上を右下側へ増速しながら転動した後、下ガイド部２２７に接触して一旦停止する。その後、第二延設案内部２０５の傾きによって、遊技球Ｐは前側に向けて徐々に増速しながら流下する。遊技球Ｐは第二延設案内部２０５の前端から落下し、第三延設案内部２０６に到達する（矢印Ｄ１）。遊技球Ｐは第三延設案内部２０６上を転動しながら更に増速し、排出口２５０から下方に向けて排出される（矢印Ｄ２）。排出口２５０から排出された遊技球Ｐは、アタッカー装置５０に向けて流下する。
【００３７】
上記のように、下案内装置２００の流路は、遊技球Ｐを左右方向に案内する流路だけでなく、遊技球Ｐを前後方向に案内する流路によっても構成されている。従って、下案内装置２００の流路は長くなる。さらに、下案内装置２００の流路を流下する遊技球Ｐは、減速と増速を繰り返しながら流下する（特に遊技球Ｐが第一案内部２０１と面接触する時、遊技球Ｐの勢いは著しく低減する）。従って、遊技領域４に打ち込まれた遊技球Ｐが下案内装置２００を流下し終えるまでの時間は長くなると共に、その時間は流下する遊技球Ｐごとにバラつき易くなる。従って、遊技者が、遊技球Ｐを所望のタイミングでアタッカー装置５０に到達させるように発射ハンドル７を操作することは極めて困難となる。
【００３８】
例えば、小当たりからのＶ入賞を契機として大当たりになるパチンコ機１（所謂１種２種タイプの遊技機）において、小当たり確定時の表示図柄によって、大当たり発生後の遊技状態の有利不利を判別できる場合がある。この場合、大当たり発生後の有利な遊技状態となる小当たり時にのみ、アタッカー装置５０におけるＶ入賞を狙った打ち込みを行う遊技者がいることが考えられる。このような打ち込みが実行された場合、運任せ的な要素を多く含む状況下でＶ入賞を狙わせるという健全な遊技を提供することができなくなるばかりでなく、このような遊技者にパチンコ機１を操作する時間を不当に長くしてしまい、パチンコ機１の不適当な賞球の払出しを招いてしまうことが考えられる。しかし本実施形態では、遊技球Ｐがアタッカー装置５０に到達するまでの時間が十分に長い。従って、小当たり確定時の図柄に基づいて遊技者が遊技領域４への打ち込みを実行しても、遊技球Ｐがアタッカー装置５０に到達するのは、当該小当たりに伴うアタッカー装置５０の大入賞口の開放動作終了後となる。よって、大当たり発生後の有利な遊技状態のみを狙って小当たり時のＶ入賞を狙おうとする遊技者の操作を抑制し、健全な遊技を遊技者に促すことができる。
【００３９】
また、遊技球Ｐがアタッカー装置５０に到達する時間が不規則になるので、アタッカー装置５０の大入賞口が、大当たり演出に伴って一定の間隔で規則的に開放される場合であっても、遊技者は、アタッカー装置５０の大入賞口が開放されるタイミングを狙った遊技球Ｐの打ち込みを行いにくい。よって、大入賞口に所定時間内に入賞する遊技球の個数が規定個数（例えば１０個）を超えてしまうオーバー入賞を、パチンコ機１は抑制できる。
【００４０】
以上、説明したように、第一案内部２０１により案内された遊技球Ｐを第二案内部２０２が案内する場合に、遊技球Ｐは、第二案内部２０２に沿って左側に移動しながら上ガイド部２１９に接触し、遊技球Ｐは一時的に静止する。その後、遊技球Ｐの流下方向は、左斜め後方側且つ下側に切り替わる。第二案内部２０２は、右側から左側へと上側に傾くと共に、左斜め前側から右斜め後側へと下側に傾く。従って、第二案内部２０２に沿って流下する遊技球Ｐの減速の仕方が、遊技球Ｐと第二案内部２０２との接触位置によって変わるので、第二案内部２０２での遊技球Ｐの流下経路は、不規則になり易い。よって、案内手段７０により案内される遊技球Ｐの流下が不規則になり易いパチンコ機１が実現できる。
【００４１】
第三案内部２０３の勾配は、第一案内部２０１の勾配とは異なる。これにより、第一案内部２０１を流下する遊技球Ｐの速さと、第三案内部２０３を流下する遊技球Ｐの速さが互いに異なり易い。よって、案内手段７０により案内される遊技球Ｐの流下は、更に不規則になり易い。また、第一案内部２０１及び第二案内部２０２よりも下流側にある第三案内部２０３の勾配が、第一案内部２０１の勾配よりも急であるので、第一案内部２０１から第三案内部２０３に至る流路上における球詰まりを抑制できる。
【００４２】
第一延設案内部２０４における遊技球Ｐの向き（左方向）と、第二延設案内部２０５における遊技球Ｐの向き（右方向）は、互いに逆である。従って、下案内装置２００で遊技球Ｐが左右方向に流下する移動量が増えるので、遊技球Ｐの流下時間は増大する。また、第一延設案内部２０４の勾配と、第二延設案内部２０５の勾配が互いに異なる。従って、第一延設案内部２０４を流下する遊技球Ｐの速さと、第二延設案内部２０５を流下する遊技球Ｐの速さは、互いに異なり易くなる。よって、案内手段７０により案内される遊技球Ｐの流下は、更に不規則になり易い。
【００４３】
第一延設案内部２０４は、第二延設案内部２０５に対して前後方向にずれる。これにより、第一延設案内部２０４を流下する遊技球Ｐの位置と、第二延設案内部２０５を流下する遊技球Ｐの位置は、前後方向にずれ易くなる。よって、案内手段７０により案内される遊技球Ｐの流下時間が増大するので、案内手段７０により案内される遊技球Ｐの流下は更に不規則になり易い。
【００４４】
特定案内部２１０は、遊技球Ｐを後側（即ち第二延設案内部２０５側）に案内する。第一特定案内部２１１の勾配と第二特定案内部２１２の勾配は、互いに異なる。これにより、第一特定案内部２１１を流下する遊技球Ｐの速さと、第二特定案内部２１２を流下する遊技球Ｐの速さは互いに異なり易くなる。よって、案内手段７０により案内される遊技球Ｐの流下は更に不規則になり易い。
【００４５】
第三延設案内部２０６の勾配は、第一延設案内部２０４と第二延設案内部２０５のそれぞれの勾配に対して異なる。第三延設案内部２０６を流下する遊技球Ｐの速さは、第一延設案内部２０４を流下する遊技球Ｐの速さと、第二延設案内部２０５を流下する遊技球Ｐの速さとのいずれに対しても異なり易い。よって、案内手段７０により案内される遊技球Ｐの流下が更に不規則になり易い。
【００４６】
以上説明にて、パチンコ機１は本発明の「遊技機」の一例である。左斜め前方向は本発明の「一方向」の一例である。右斜め後方向は本発明の「他方向」の一例である。所定方向は本発明の「前後方向」の一例である。
【００４７】
本発明は、上記実施例に限定されない。第一案内部２０１は、遊技球Ｐを右側から左側へと下側に延びる代わりに、例えば、前上側から後下側側に湾曲して延びてもよい。該場合、第二案内部２０２は、第一案内部２０１の後端部と前後方向に沿って隣り合う。第二案内部２０２は、第一案内部２０１の後端部に対して、後下方にあってもよい。
【００４８】
下案内装置２００は、上ガイド部２１９を備えなくてもよい。この場合であっても、第二案内部２０２は、第一案内部２０１上を転動した遊技球Ｐを減速させながら停止させて、右斜め後方に向けて案内できる。また、第二案内部２０２は、左斜め前方向側から右斜め後方向側へと下側に傾く代わりに、右斜め前方向側から左斜め後方向側へと下側に傾いていてもよい。本変形例において、右斜め前方向は本発明の「一方向」の一例であり、左斜め後方向は本発明の「他方向」の一例である。
【００４９】
第三案内部２０３は、湾曲して延びる代わりに、平面状に形成されてもよい。第三案内部２０３の勾配は、第一案内部２０１の勾配よりも急である代わりに、緩やかであってもよい。第二特定案内部２１２の勾配は、第一特定案内部２１１の勾配よりも緩やかである代わりに、急であってもよい。第一延設案内部２０４、第二延設案内部２０５、第三延設案内部２０６は、いずれも、左右方向に沿って延びる代わりに、前後方向に沿って延びていてもよいし、上下方向に延びる軸線を中心とした螺旋状に形成されていてもよい。
【００５０】
第一特定案内部２１１、第二特定案内部２１２、第三特定案内部２１３、及び第四特定案内部２１４は、平面状に形成される代わりに、湾曲して形成されていてもよい。第一特定案内部２１１と第二特定案内部２１２は、前後方向に並んで設けられる代わりに、例えば左右方向に並んで設けられてもよい。
【００５１】
また、請求項、明細書および図面に記載される全ての要素（例えば、大入賞口、第一特別図柄始動電動役物１４等）は、個数を意識的に限定する明確な記載がない限り、物理的に単一であっても複数であっても構わないし、適宜配置の変更が行われても構わない。また、前記要素につけられた名称（要素名）は、単に本件の記載のために便宜上付与したにすぎないものであり、それによって特別な意味が生じることを特に意識したものではない。従って、要素名のみによって要素が何であるかが限定解釈されるものではない。例えば、「振分手段」は、ハード単体でも、ソフトを含んだものであっても構わない。 
【００５２】
更には、上記全ての要素のうちの複数の要素を適宜一体的に構成するか、もしくはひとつの要素を複数の要素に分けて構成するかは、何れも当業者であれば容易に考えられる事項であり、敢えて明細書等において全パターンを記載しなくても何れのパターンも想定範囲内であることは明らかであることから、特許請求の範囲等においてそれらを明確に除外している旨の記載がない限りは、それら全てについて本発明に係る権利範囲に含まれることは言うまでもない。従って、その程度の範囲内での構成上の差異を、本実施例に記載がなされていないことを理由に遊技機に採用することのみでは、本発明に係る権利を回避したことにはあたらない。その他、各要素の構成や形状等における、本実施例から当業者であれば容易に考えられる自明な範囲の差異についても同様である。
【符号の説明】
【００５３】
１        パチンコ機
４        遊技領域
７０      案内手段
２０１    第一案内部
２０２    第二案内部
２０３    第三案内部
２０４    第一延設案内部
２０５    第二延設案内部
２０６    第三延設案内部
２１０    特定案内部
２１１    第一特定案内部
２１２    第二特定案内部
２１３    第三特定案内部
Ｐ        遊技球
【図１】
2019024731.tif 000003
【図２】
2019024731.tif 000004
【図３】
2019024731.tif 000005
【図４】
2019024731.tif 000006
【図５】
2019024731.tif 000007
【図６】
2019024731.tif 000008
【図７】
2019024731.tif 000009
【図８】
2019024731.tif 000010
【図９】
2019024731.tif 000011